(57)【要約】【課題】金属資源と混合した有機化合物資源を加熱によって溶解液化または気化させてそれぞれ分離して金属資源を回収すると共に有機化合物も資源として回収する。【解決手段】密閉状態の炉の中へ金属と有機化合物の混合した資源材料を設置して、外熱源による熱エネルギーで加熱する。有機化合物は溶解液化・気化して金属と分離して排熱ガスと共に炉外へ取り出し冷却して資源として回収する。金属はそのまま残り炉の冷却後炉を開けて回収する。【選択図】          図１
2007064609.tif 000002
【特許請求の範囲】
【請求項１】
炉体構造が資源材料を設置する基台部とその材料を外気と遮断する移動容易で釜をふせたような被蔽型の炉本体とその炉体内を加熱する外熱源を有する資源リサイクル炉。
【請求項２】
被蔽型の炉本体下部の周縁部に合わせて基台部に溝部を設け、その溝部へ炉本体下部の周縁部を挿入設置して、その溝部へ水を注入して外気と完全に遮断する資源リサイクル炉。
【請求項３】
外熱源の熱エネルギーをダクト等で被蔽型炉本体へ接続して、資源材料を加熱する資源リサイクル炉。
【請求項４】
外熱源の熱エネルギーを基台部の一部から被蔽型炉体内へ導き、資源材料を加熱する資源リサイクル炉。
【請求項５】
資源材料を加熱して、その材料に含まれる有機化合物が溶解し、他の金属材料等と分離して、液体となって落下するのを基台部で捕捉するための受皿を有する資源リサイクル炉。
【請求項６】
資源材料を加熱して、その材料に含まれる有機化合物が気化し、そのガスの一部が被蔽型炉壁内で冷却されて、液化し落下する、それを炉体下部内側の周縁部に設けたひさしで受けて基台部の受皿へ導く所のひさし部を有する資源リサイクル炉。
【請求項７】
資源材料を加熱して、その材料に含まれる有機化合物を気化し、排熱ガスと共に炉本体から排出後、そのガスを冷却して気化物を液化して有機化合物を収集する所の収集部を有する資源リサイクル炉。
【請求項８】
資源材料に含まれる有機化合物が液化して他の金属材料等と分離して、資源材料を収納して基台部に設置するトレイの底部に落下した後、基台部の受皿へその液体を導く溝部等を有するトレイで構成される資源リサイクル炉。
【発明の詳細な説明】
【技術分野】
【０００１】  本発明は、金属等と有機化合物が混在した微細な状態の物、その物へ熱エネルギーを加えて有機化合物を液化または気化して金属等と分離しそれぞれ別々に収集して有用物を得る資源リサイクルに関する分野である。
【技術背景】
【０００２】  経済社会の全ての分野で資源リサイクルが法によって義務付けられた。
【０００３】  電子回路製品ではプリント基板に半田付けによって各種の電子部品が付いており、これを破砕して有用金属のみを電磁選別等で取りだしている。
【０００４】  機械加工現場では切削の切粉と共に冷却で使った切削油が混在している、重油等で切削油を燃焼して金属を回収している。
【０００５】金属製品製造現場では冷間圧延工程等で使う冷却油に圧延での金属粉が混入している、これを濾して冷却油は回収するが油の混ざった金属粉は使えないでそのまま廃棄している。
【発明の開示】
【発明が解決しようとする課題】
【０００６】  金属資源と混在した有機化合物資源を加熱によって溶解液化または気化させてそれぞれ分離して金属資源を回収すると共に有機化合物も資源として回収する。
【課題を解決するための手段】
【０００７】  金属と有機化合物が混在した資源材料を細かく破砕して所定のトレイに入れ、そのトレイを数段の適当な間隔をとってスタック状に重ねる。【０００８】  そのスタックを資源リサイクル炉の基台部に設置する。【０００９】  移動が容易な釜をふせた形の被蔽型炉本体をスタックにかぶせるようにして基台部に設置する。【００１０】  炉本体下部に合わせて基台部に溝が設けられ、その溝に水が張られていて、炉本体の下部がその水に浸かることで水封止が得られ、外気と完全に遮断される。【００１１】  外熱源によって外部から熱エネルギーをダクト等で炉本体へ接続、または、基台部の一部から炉体内へ導き資源材料を加熱する。【００１２】  外気と遮断された密閉状態の中で加熱すると資源材料に含まれる有機化合物は溶解して液化または気化する。【００１３】  液化した有機化合物は金属等と分離して資源材料を収容したトレイに落下し、トレイの溝を伝わって基台部の受皿へ導かれ資源として回収される。【００１４】  気化した有機化合物の一部は被蔽型炉の内壁で冷却され液化されて壁を伝わって落下し、炉体下部の内側のひさし部で基台部の受皿へと導かれ資源として回収される。【００１５】  気化した有機化合物の大部分は排熱ガスと共に炉の外部へと流れ出る、外部へ出たガスは冷却されて、その中の有機化合物は液化して資源として回収される。【００１６】  資源材料の内の有機化合物部分が液化・気化して除かれるとトレイには金属部分が残り炉を冷却した後、被蔽型炉本体を開けてスタックと共にトレイを取り出し資源としての金属を回収する。
【発明の効果】
【００１７】  加熱温度は数百度であるので、従来の重油等の燃焼より使用エネルギーが小さい。【００１８】  回収した有機化合物の一部を加熱エネルギーとして使う場合、外部からの使用エネルギーを最小にすることができる。【００１９】  外気を遮断した状態で加熱するので回収金属は酸化せず再利用が容易となる。【００２０】  被蔽型炉本体は固定しない構造であるので、ホークリフト等で容易に移動でき生産性が大変向上した。
【発明を実施するための最良の形態】
【００２１】  図１は実施例の一つで資源リサイクル炉全体とその中の被蔽型炉本体の断面を示す。図２は被蔽型炉内のスタックに設置されるトレイの一つを示す。【００２２】  １の資源材料は２のトレイに入れられる。２のトレイは３のスタックに収納される。【００２３】  このスタックを４の基台部の所定位置に設置する。【００２４】  ５の被蔽型炉本体は６の移動用フックを備えていて、ホークリフトやチェーンブロック等で容易に吊り下げ移動が可能である。この炉本体を３のスタックに被せて４の基台部の所定位置に設置する。【００２５】  ５の炉本体を設置する４の基台部の所定位置には７の基台溝部が設けられ、そこに水が張ってある。炉本体の下部がその水に没すると水封止となり、炉内部が外気と完全に遮断される。【００２６】  次に、８の外熱源によって外部からの熱エネルギーを炉体内へ導き、資源材料を加熱する。【００２７】  外気と遮断されて密閉状態で資源材料を加熱すると、資源材料に含まれる有機化合物は溶解して液化または気化する。【００２８】  液化した有機化合物は金属等と分離して２のトレイに落下し、１６のトレイ溝部を伝わって１７の排出口から１０の基台部の受皿へ導かれ、１１の資源回収タンクへ収容される。【００２９】  気化した有機化合物の一部は５の被蔽型炉体の内壁で冷却され液化されて壁を伝わって落下する。その落下液化物は炉体下部内側の１２のひさし部で１０の基台部受皿へ導かれ、１１の資源回収タンクへ収容される。【００３０】  気化した有機化合物の大部分は排熱ガスと共に炉の外部へ押出される。外部へ出たガスは１３の冷却部で１４の冷却水により冷却されて気化した有機化合物を液化して１１の資源回収タンクへ収容される。【００３１】  資源材料の内の有機化合物部分が液化・気化して除かれると、トレイには金属部分が残る。炉を冷却した後、被蔽型炉本体を開けてスタックと共にトレイを取り出し、資源としての金属を回収する。
【図面の簡単な説明】
【００３２】
【図１】  資源リサイクル炉全体図と被蔽型炉本体内部構造図
【図２】  トレイ図
【符号の説明】
【００３３】      １  資源材料
２  トレイ
３  スタック
４  基台部
５  被蔽型炉本体
６  移動用フック
７  基台溝部
８  外熱源
９  外熱源燃料タンク
１０  受皿
１１  資源回収タンク
１２  ひさし部
１３  冷却部
１４  冷却水
１５  排熱
１６  トレイ溝部
１７  排出口
【図１】
2007064609.tif 000003
【図２】
2007064609.tif 000004